(57)【要約】【課題】  天井面の外観に優れ、しかも断熱性に優れた屋根構造を提案する。【解決手段】  梁に載置固定される屋根用部材として、フラット部と、フラット部の上方に突設されて、フラット部の長手方向に連続して延びる複数条のリブとを備え、リブがフラット部に連続する重ね合わせ部と、重ね合わせ部の上端に形成される箱状部とを有する、金属板製屋根用部材を用い、この屋根用部材の上側に断熱材を積層し、断熱材を止め手段により箱状部に固定し、さらに断熱材を覆うように防水用シートと備える屋根構造とする。リブの高さ、およびリブの間隔を適正値とすることにより、断熱性が向上する。また、屋根用部材端部の突合せ部下側近傍が、梁と屋根用部材との間にシーリング材を配設した構成を有することが好ましい。これにより、止水および防水効果が向上する。【選択図】  図１
2005171623.tif 000002
【特許請求の範囲】
【請求項１】
梁と、該梁に載置固定される屋根用部材と、該屋根用部材の上側に積層される断熱材と、該断熱材を覆い屋根の上面を形成する防水用シートとを備える屋根構造であって、前記屋根用部材が、フラット部と、該フラット部の上方に突設されて、前記フラット部の長手方向に連続して延びる複数条のリブと、を備え、前記リブが、前記フラット部に連続する重ね合わせ部と、該重ね合わせ部の上端に形成される箱状部とを有する金属板製であり、前記断熱材が、前記箱状部に、長手方向に所定間隔を隔てて複数の止め手段で固定されてなることを特徴とする屋根構造。
【請求項２】
前記屋根用部材の端部同士の突合せ部の下側近傍が、前記屋根用部材と前記梁との間にシーリング材を配設してなる構成を有することを特徴とする請求項１に記載の屋根構造。
【請求項３】
前記屋根用部材の端部同士の突合せ部の下側近傍が、前記屋根用部材と前記梁との間に屋根用部材側からシーリング材と高さ調整材とをこの順に配設してなる構成を有することを特徴とする請求項１に記載の屋根構造。
【請求項４】
前記複数条のリブの高さが50〜150mmの範囲内であることを特徴とする請求項１ないし３のいずれかに記載の屋根構造。
【請求項５】
前記複数条のリブの間隔が100〜600mmの範囲内であることを特徴とする請求項４に記載の屋根構造。
【請求項６】
前記止め具が、前記箱状部に10〜30mm突き出ていることを特徴とする請求項１ないし５のいずれかに記載の屋根構造。
【発明の詳細な説明】
【技術分野】
【０００１】
本発明は、建築物の屋根構造に係り、とくに平坦な天井を安価に形成できる屋根構造に関する。
【背景技術】
【０００２】
屋根は、建築物の主要な部位をしめており、複雑で厳しい機能が求められている。従来から、屋根用部材として、薄肉の金属板が平板のまま、あるいは複雑な形状に加工されて用いられている。とくに、工場、倉庫等の屋根には、波型に折り曲げた形状の金属製折板を用いた屋根材が用いられることが多い。
【０００３】
例えば、特許文献１には、梁に図５に示すような波型に折り曲げた形状の金属製折板20を載置し、その上に、下地ボード材21、断熱材22および防水層23を順次積層してなる屋根構造1が提案されている。特許文献１に記載された技術では、金属製折板20の上に下地ボード材21と断熱材22を敷き詰めて、断熱材22の上から、頭部に円盤状のディスク盤25を設けた固定金具24（ビス）を用いて金属製折板20に機械的に固定し、次に、断熱材22の上に防水シート(層)23を敷設してディスク盤表面と防水シート（層）裏面を接着して屋根構造を形成している。
【０００４】
しかしながら、特許文献１に示された屋根構造では、天井などの内装面が複雑であり、しかもそのままでは取り付け用の固定金具が天井裏などの内側面に露出して、室内からの美観上問題があり、内装材を取り付けて内装面の美観を向上させる必要があり、工期が長くなり製造コストが高騰するうえ、さらには固定金具（ファスナー）に錆が発生するなどの問題があった。
【０００５】
また、図６に示すような波型に折り曲げた形状の金属製折板20と、折板20の上に折り曲げられた形状の断熱材22を積層する断熱二重折板型屋根構造も実用化されている。
【０００６】
しかし、図６に示す屋根構造では天井などの内装面が複雑であり天井の美観上問題がある。
【特許文献１】特開平８-246609号公報
【発明の開示】
【発明が解決しようとする課題】
【０００７】
本発明は、上記した従来技術の問題を解決して、平坦な天井面や安価に形成でき、天井内装面の美観性に優れ、しかも断熱効果や遮音効果にも優れ、さらには工事中の止水性、施工後の防水性にも優れた、屋根構造を提案することを目的とする。
【課題を解決するための手段】
【０００８】
本発明の要旨はつぎのとおりである。
【０００９】
（１）梁と、該梁に載置固定される屋根用部材と、該屋根用部材の上側に積層される断熱材と、該断熱材を覆い屋根の上面を形成する防水用シートとを備える屋根構造であって、前記屋根用部材が、フラット部と、該フラット部の上方に突設されて、前記フラット部の長手方向に連続して延びる複数条のリブと、を備え、前記リブが、前記フラット部に連続する重ね合わせ部と、該重ね合わせ部の上端に形成される箱状部とを有する金属板製であり、前記断熱材が、前記箱状部に、長手方向に所定間隔を隔てて複数の止め手段で固定されてなることを特徴とする屋根構造。
【００１０】
（２）（１）において、前記屋根用部材の端部同士の突合せ部の下側近傍が、前記屋根用部材と前記梁との間にシーリング材を配設してなる構成を有することを特徴とする屋根構造。
【００１１】
（３）（１）において、前記屋根用部材の端部同士の突合せ部の下側近傍が、前記屋根用部材と前記梁との間に屋根用部材側からシーリング材と高さ調整材とをこの順に配設してなる構成を有することを特徴とする屋根構造。
【００１２】
（４）（１）ないし（３）のいずれかにおいて、前記複数条のリブの高さが50〜150mmの範囲内であることを特徴とする屋根構造。
【００１３】
（５）（４）において、前記複数条のリブの間隔が100〜600mmの範囲内であることを特徴とする記載の屋根構造。
【００１４】
（６）（１）ないし（５）のいずれかにおいて、前記止め具が、前記箱状部に10〜30mm突き出ていることを特徴とする屋根構造。
【発明の効果】
【００１５】
本発明によれば、天井の美観および断熱効果に優れ、しかも遮音性、例えば雨音の滅音効果にも優れた軽量の陸屋根を安価に構成することができ、産業上格段の効果を奏する。また、本発明によれば、省エネルギーに寄与するという効果、があり、さらには工事中の止水性向上、施工後の防水性向上といった効果もある。
【発明を実施するための最良の形態】
【００１６】
本発明の屋根構造の一例を図１に断面図で示す。
【００１７】
本発明の屋根構造は、梁50と、該梁50に載置固定される屋根用部材１と、該屋根用部材１の上側に積層される断熱材２と、該断熱材２を覆い屋根の上面を形成する防水用シート３とを備える屋根構造10である。
【００１８】
本発明で使用する屋根用部材１は、金属板で構成される。金属板としては、とくに限定されるものではないが、めっき鋼板、ステンレス鋼板、あるいはフッ素樹脂塗装鋼板などの表面処理鋼板、またはアルミニウム板等の非鉄金属板がいずれも好適に使用できる。また、めっき鋼板としては、耐食性の観点から亜鉛めっき鋼板とすることが好ましい。
【００１９】
本発明の屋根構造で使用する屋根用部材１の一例を、図２に示す。図２（ａ）は斜視図、図２（ｂ）は幅方向断面図である。
【００２０】
本発明で使用する屋根用部材１は、フラット部11と複数条のリブ12,12とを備える。リブ12は、フラット部11の上方に突設され、フラット部11の長手方向に連続して延びる条として配設される。リブ12は、二枚の金属板を重ね合わせてなる重ね合わせ部12aと、重ね合わせ部12aの上端に箱状部12bを有する。重ね合わせ部12aはフラット部11に連続して形成される。なお、図２の箱状部12bは、横断面形状が三角形を呈しているが、本発明ではこれに限定されるものではない。三角形以外の四角形、五角形等の、上面が平坦な多角形状としてもよい。なお、重ね合わせ部12aは、長さ方向に所定の間隔をおいて、スポット溶接あるいは打抜き等により点接合してもよい。これにより、荷重が負荷されたときに重ね合わせ部が開くという問題は少なくなる。
【００２１】
また、リブ12aは、50〜150mmの範囲内の高さＨを有することが好ましい。高さＨが50  mm未満では、箱状部の加工が困難となる。一方、150mmを超えて高くなると、外圧荷重により変形しやくすくなるとともに、特性向上効果が飽和して使用する材料量に見合う部材特性の向上が得られなくなり、経済的に不利となる。
【００２２】
また、リブ12aは、幅方向に複数条配設されるが、その間隔Ｗ(重ね合わせ部間の距離)は、100〜600mmの範囲内とすることが好ましい。間隔が100mm未満では、部材構成に必要な材料量が増加しすぎて部材コストの高騰を招く。一方、600mmを超えて大きくなると、外圧荷重に対し変形しやすくなり、部材強度の低下を招く。 なお、図２に示す例は、リブが２条の場合の例であるが、本発明ではこれに限定されなるものではないことはいうまでもない。なお、リブ間隔が大きくなり、部材強度が低下する恐れのある場合には、補強用として、図３に示すようなリブ間に１つ以上のサブリブ14を設けてもよい。サブリブ14の高さ、個数、間隔は、部材強度の向上程度に応じ適宜選択でき、とくに限定されるものではない。
【００２３】
また、本発明で使用する屋根用部材１では、フラット部11は、必ずしもその面が平面である必要はなく、曲面としてもよく、また表面に凹凸模様を付与してもよい。また、本発明の屋根用部材では、強度補強の観点から、フラット部11および／またはリブ12にエンボス加工を施すこともできる。
【００２４】
また、本発明で使用する屋根用部材１の端部には、幅方向に所望の個数の屋根部材が接続可能なように、それぞれ雄型接続端13aおよび雌型接続端13bを有することが好ましい。図２に示す、接続端13a,13bは、鋼板を長さ方向にわたる折り曲げ加工により形成されたものであるが、本発明ではこれに限定されるものではない。
【００２５】
また、上記した構成の屋根用部材の製造方法は、とくに限定されるものではないが、金属板にロール成形加工を施し、幅方向にフラット部と所定間隔に設定した複数条のリブと、あるいはさらに両幅端における接続端とを形成し、さらに、剪断加工により所定長さの部材とする方法が好ましい。
【００２６】
本発明で使用する屋根構造10は、上記した構造の屋根部材１を１個または必要に応じて幅方向に複数個接続し、あるいはさらに屋根部材を長さ方向に突き合せて、所望の大きさ（幅×長さ）の屋根部材とする。ついで、屋根用部材１，１の上側に所望厚さの断熱材２を積層し、さらに断熱材２を覆うように防水シート３を重ね、屋根面を形成する。なお、断熱材の下側に所定厚さの断熱材や下地ボード材を積層しても何ら問題はない。
【００２７】
断熱材２は、長手方向に所定間隔を隔てて止め手段４である複数の止め具4bで、箱状部12b（屋根部材１）に固定される。断熱材２は、ディスクまたは固定金具4aを介して止め具4bで固定されることが好ましい。止め具4bは、10〜30mmだけ箱状部12bに突き出るような長さとすることが好ましい。止め具の突き出し長さが10mm未満では、ヒートブリッジにより結露を発生させる危険性が高くなるとともに固定後の安定性に不安がある。一方、30mmを超えて長くなると、止め具のコストが高くなり経済的に不利となるとともに、止め具先端が箱状部12bに接触し先端が破損し、作業性が低下するという問題が生じる危険性が高くなる。
【００２８】
また、断熱材２は箱状部12bに固定するほかに、フラット部11上に所定の厚さ積層してもよい。
【００２９】
なお、断熱材や下地ボード材としては、硬質ウレタンボード、発砲スチレンボード、ガラス繊維ボード、ロックウールボード、木片セメント板、木毛セメント板、フェノール樹脂系ボード等が例示できる。また、屋根面を形成する防水シート３は、塩化ビニル系シート、アスファルト系シート、ゴム系シート、エチレンプロパレン系シート、金属板等の材料とすることが好ましい。なお、防水シート３の重ね合わせ部や、防水シート３と下層の材料（例えば、デスク４ａ）との接合は、熱、溶剤、はぜ締め、接着剤等により行うことが好ましい。
【００３０】
より広い屋根空間を構成するために、屋根部材１同士を、長さ方向端部で突き合せる場合に、本発明の屋根構造では、図４（ａ）に示すように、屋根用部材１の端部同士の突合せ部101の下側近傍が、屋根用部材１の下側と梁50との間にシーリング材５を配設した構成を有することが好ましい。これにより、水密性・気密性が向上し突合せ部からの水漏れを防止することができ、施工後の防水はもちろん工事中の止水を効果的に行うことができる。シーリング材としては、水密性・気密性を有する不定形の材料、あるいは水密性・気密性を有するテープ状材料とすることが好ましい。シーリング材の材質としてはブチルゴム系、アスファルト瀝青材系、あるいはウレタン系、変性シリコン系とすることが好ましい。なお、シーリング材の厚さは、0.5〜1.5 mm程度とすることが好ましい。
【００３１】
また、図４（ｂ）に示すように、屋根用部材の端部同士の突合せ部101の下側近傍が、屋根用部材の下側から梁50との間にシーリング材５と高さ調整材６とをこの順に配設した構成を有することが好ましい。梁50がハイテンボルト等による継手部を有する場合には梁上面の高さが一定とならないため、梁50と屋根用部材１との間に、Ｃ型チャンネル等の高さ調整材６を介してシーリング材５を配置することが好ましい。
【００３２】
上記した構成の屋根構造とすることにより、断熱材２の下層に、対流が生じにくい所定量の空気層を確保でき、断熱効果が顕著に向上し、省エネルギーに貢献できる。また、止め手段４が箱状部内に隠れるとともに、フラット部により天井面を平坦に形成できるという効果がある。なお、断熱材を箱状部以外にフラット部11上に積層することにより、断熱性、遮音性がさらに向上する。
【実施例】
【００３３】
（実施例１）
JIS G 3302に規定される溶融亜鉛めっき鋼板SGC 490(板厚：0.8mm)を用いて図１に示す形状の屋根用部材(本発明例)を作製した。屋根用部材１は、めっき鋼板に、ロール成形加工により、幅方向にフラット部11と、所定間隔Ｗを隔てて２条の高さＨのリブ12と、さらに両幅端に雄、雌型の接続端13を形成し、さらに、剪断加工により最大長さ（12ｍ）に切断して使用した。この屋根用部材１を幅端の接続端13ａ、13ｂにより幅方向に接続した。これらを、梁50に載置して屋根構造10を構成した。なお、屋根用部材１の上に、ボード状の断熱材１（厚み：30mm）を積層し、ディスク4aを介して止め具（ビス）4bでリブ12の箱状部12bに固定した。ついで、断熱材２を塩化ビニル系防水材（シート：厚さ1.5mm）３で覆い、屋根を形成した。なお、ディスク4ａの表面と防水シート３の裏面とを接着材で固定した。なお、リブの幅方向の間隔Ｗを200mm、高さＨを100mm、止め具突き出量Ｉを20mmとした。
【００３４】
なお、従来例１として、屋根用部材に、図５に示すような、波型形状の金属製折板を用いた以外は、断熱材の種類、厚さ、止め具の大きさ等は本発明例と同様した。なお、金属製折板は、頂部と底部の間隔Ｗを100mm、頂部の高さＨを75 mmとする形状のめっき鋼板（板厚：1.2  mm）製とした。
【００３５】
また、従来例２として、図６に示すような断熱二重折板型屋根構造を構成した。屋根用部材として使用した金属製折板は従来例１と同様とし、断熱材の種類はグラスウール10kg/m3とした。なお断熱材の厚さは計算値50mm〜75mmとした。
【００３６】
上記した構造の屋根構造について、断熱性、雨音減音効果、耐結露性を評価した。断熱性は、熱量流量を計算により求め、従来例２を基準（○）にしてそれより優れている場合を◎、それより劣る場合を△とした。また、雨音減音効果は、人工的に降雨を実行し、その際の室内での平均音圧を測定し、従来例２を基準（○）にして、それより優れる場合を◎、それより劣る場合を△とした。また、耐結露性は、外気温を−３℃、室内温度を15℃、室内湿度を50％の条件で、従来例２を基準（○）としてそれより優れる場合を◎、それより劣る場合を△として評価した。
【００３７】
得られた結果を表１に示す。
【００３８】
【表１】
2005171623.tif 000003
【００３９】
表１から、本発明例は従来例に比べて高い断熱性、優れた雨音減音効果、優れた耐結露性を有する屋根構造となっている。
【００４０】
（実施例２）
実施例１で示した本発明例である屋根構造について、図４に示すように屋根用部材１の端部同士の突合せ部101の下側を梁との間にシーリング材５を配設し室内への漏水状況を目視で観察した。シーリング材としては、ブチルゴム系材（厚み：１mm）を用いた。その結果、突合せ部の下側にシーリング材を配設することにより、漏水を完全に防止できた。さらに、突合せ部にシーリング材を配設することにより、室内への汚れた空気の流入も防止できるという効果がある。
【図面の簡単な説明】
【００４１】
【図１】本発明の屋根構造の一例を模式的に示す断面図である。
【図２】本発明で使用する屋根用部材の一例を模式的に示す説明図である。（ａ）は、斜視図、（ｂ）は、幅方向断面図である。
【図３】本発明で使用する屋根用部材の他の一例を模式的に示す断面図である。
【図４】本発明の屋根構造の一例を模式的に示す長手方向断面図である。
【図５】従来の屋根用部材である波型屋根用部材を用いた屋根構造の一例を示す断面図である。
【図６】従来の屋根構造の他の一例を示す断面図である。
【符号の説明】
【００４２】
１  屋根用部材
５  シーリング材
６  高さ調整材
10  屋根構造
11  フラット部  
12  リブ
12a  重ね合わせ部  
12b  箱状部  
13ａ 接続端（雄）
13b  接続端（雌）
14   サブリブ
20   金属製折板
21  耐火材
22  断熱材
23  防水シート（層）
24  固定金具（ビス）
25  ディスク盤
50  梁
101 突合せ部
【図１】
2005171623.tif 000004
【図２】
2005171623.tif 000005
【図３】
2005171623.tif 000006
【図４】
2005171623.tif 000007
【図５】
2005171623.tif 000008
【図６】
2005171623.tif 000009